(57)【要約】【課題】生産性が良く、内部に広い空間を形成することができる陶器製便器本体を提供する。【解決手段】陶器製便器本体は、便鉢部１０、この便鉢部１０の上端縁から横方向に拡がった上面部３０、及び、この上面部３０の前側と左右側の縁部に連続して下方に延びて便鉢部１０を包囲しており、設置時に下端面を床面上に載置する外周壁部４０を一体に形成している。陶器製便器本体は、平面視で少なくとも二方向に位置する外周壁部４０の内面同士を連結するように横方向に拡がった支持壁部６０を備えている。【選択図】図１
2014114633.tif 000002
【特許請求の範囲】
【請求項１】
便鉢部、
この便鉢部の上端縁から横方向に拡がった上面部、
及び、この上面部の前側と左右側の縁部に連続して下方に延びて前記便鉢部を包囲しており、設置時に下端面を床面上に載置する外周壁部を一体に形成した陶器製便器本体であって、
平面視で少なくとも二方向に位置する前記外周壁部の内面同士を連結するように横方向に拡がった支持壁部を備えていることを特徴とする陶器製便器本体。
【請求項２】
前記支持壁部は、
中央部で横方向に拡がった一重構造の第１壁部と、
この第１壁部の外縁部に連続して横方向に拡がっており、上下に位置する上壁部と下壁部とを有した二重構造であり、外縁部が前記外周壁部に連続した第２壁部とを有していることを特徴とする請求項１記載の陶器製便器本体。
【請求項３】
前記上壁部と前記下壁部は略水平方向に延びた水平壁部を夫々設けており、前記上壁部の水平壁部の外縁部から上方に屈曲する第１角部と前記下壁部の水平壁部の外縁部から下方に屈曲する第２角部の一方を他方に比べて外側に形成したことを特徴とする請求項２記載の陶器製便器本体。
【請求項４】
前記第１壁部と前記第２壁部との境界部に上下方向に貫通しており、内周面の一部を前記第２壁部の側面が形成した貫通孔を有していることを特徴とする請求項２又は３記載の陶器製便器本体。
【請求項５】
前記上壁部又は前記下壁部の少なくとも一方が略鉛直方向に延びた鉛直壁部を有していることを特徴とする請求項２乃至４のいずれか１項記載の陶器製便器本体。
【発明の詳細な説明】
【技術分野】
【０００１】
本発明は陶器製便器本体に関する。
【背景技術】
【０００２】
特許文献１は従来の陶器製便器本体を開示している。この陶器製便器本体は、便鉢部、便器排水管部、上面部、及び外周壁部を一体に形成している。便器排水管部は便鉢部の下部に連通して上昇する上昇流路を形成している。上面部は便鉢部の上部周縁から外側に拡がって形成されている。外周壁部は、上面部の前側と左右側の縁部に連続して下方に延び、かつ上面部の左右後端の夫々から後方及び下方に延びて便鉢部の後方で連結している。この陶器製便器本体は、外周壁部によって囲まれて、上面部の後方に上下方向に貫通した空間を形成している。また、この陶器製便器本体は、外周壁部の下端面を床面上に載置して、設置することができる。
【０００３】
この陶器製便器本体は、外周壁部に囲まれて、上面部の後方に形成した空間内に、便器排水管部の下流端部に連結して下降流路を形成する排水接続管や、便器洗浄装置等を収納することができる。このため、この陶器製便器本体を採用した水洗式大便器は、ローシルエットに形成することができ、外側面を凹凸のない曲面で形成することができる。
【先行技術文献】
【特許文献】
【０００４】
【特許文献１】特開２００９−１９７３８９号公報
【発明の概要】
【発明が解決しようとする課題】
【０００５】
しかし、特許文献１の陶器製便器本体は、製造工程において、上面部の後方の空間を形成する外周壁部が収縮変形する際に形状が崩れないようにするため、左右の外周壁部の内側に内周壁部を形成して二重構造にし、強度を増加している。このため、この陶器製便器本体は重量が増加する。また、この陶器製便器本体は、内周壁部を外周壁部の内側に形成する分、上面部の後方の空間が狭くなり、この空間内に収納することができる便器洗浄装置等の大きさが制限されたり、便器洗浄装置等を収納することができる空間を確保するために大型化したりする。
【０００６】
本発明は、上記従来の実情に鑑みてなされたものであって、生産性が良く、内部に広い空間を形成することができる陶器製便器本体を提供することを解決すべき課題としている。
【課題を解決するための手段】
【０００７】
本発明の陶器製便器本体は、便鉢部、
この便鉢部の上端縁から横方向に拡がった上面部、
及び、この上面部の前側と左右側の縁部に連続して下方に延びて前記便鉢部を包囲しており、設置時に下端面を床面上に載置する外周壁部を一体に形成した陶器製便器本体であって、
平面視で少なくとも二方向に位置する前記外周壁部の内面同士を連結するように横方向に拡がった支持壁部を備えていることを特徴とする。
【０００８】
この陶器製便器本体は平面視で少なくとも二方向に位置する外周壁部の内面同士を連結するように横方向に拡がった支持壁部を備えている。このため、この陶器製便器本体は、外周壁部の全体を二重構造にしなくても支持壁部が外周壁部を支持することができる。よって、この陶器製便器本体は、製造工程において、良好に収縮することができる。また、この陶器製便器本体は外周壁部を一重構造にすることができる。このため、この陶器製便器本体は外周壁部の内側の空間を広くすることができる。
【０００９】
したがって、本発明の陶器製便器本体は、生産性が良く、内部に広い空間を形成することができる陶器製便器本体を提供することができる。
【図面の簡単な説明】
【００１０】
【図１】実施例の陶器製便器本体を示す平面図である。
【図２】図１の矢視Ｖ−Ｖ断面図である。
【図３】図１の矢視Ｗ−Ｗ断面図である。
【図４】図１の矢視Ｘ−Ｘ断面図である。
【図５】図１の矢視Ｙ−Ｙ断面図である。
【発明を実施するための形態】
【００１１】
本発明における好ましい実施の形態を説明する。
【００１２】
本発明の陶器製便器本体において、前記支持壁部は、中央部で横方向に拡がった一重構造の第１壁部と、この第１壁部の外縁部に連続して横方向に拡がっており、上下に位置する上壁部と下壁部とを有した二重構造であり、外縁部が前記外周壁部に連続した第２壁部とを有し得る。この場合、この陶器製便器本体は、支持壁部の全体を二重構造で形成するものに比べ、一重構造の第１壁部を設けることによって、便鉢部の後方であって、支持壁部の上下に設けられた空間部を広くすることができる。このため、この陶器製便器本体はこの空間部内に便器洗浄装置等を良好に収納することができる。また、この陶器製便器本体は、第１壁部の外縁部に連続した二重構造の第２壁部が外周壁部の内面に連続しているため、支持壁部の強度を増加することができる。このため、この陶器製便器本体は、便鉢部の後方に設けられた空間部を広くしても、外周壁部を強固に支持することができる。よって、この陶器製便器本体は、製造工程において、良好に収縮することができる。
【００１３】
前記上壁部と前記下壁部は略水平方向に延びた水平壁部を夫々設けており、前記上壁部の水平壁部の外縁部から上方に屈曲する第１角部と前記下壁部の水平壁部の外縁部から下方に屈曲する第２角部の一方を他方に比べて外側に形成し得る。この場合、支持壁部より上方に形成した空間部、又は下方に形成した空間部の一方を広くしつつ、支持壁部の強度を確保することができる。
【００１４】
前記第１壁部と前記第２壁部との境界部に上下方向に貫通しており、内周面の一部を前記第２壁部の側面が形成した貫通孔を有し得る。この場合、この陶器製便器本体は、支持壁部に貫通孔を形成しても、支持壁部の強度が低下せず、外周壁部を支持することができる。また、この便器本体は、外周壁部に囲まれており、支持壁部の上下に設けた夫々の空間内に便器洗浄装置等を収納することができ、上下の空間部に収納した部品を貫通孔を通じて連結することができる。このため、この陶器製便器本体は支持壁部の上下に設けた空間部を有効に利用することができる。
【００１５】
前記上壁部又は前記下壁部の少なくとも一方が略鉛直方向に延びた鉛直壁部を有し得る。この場合、この陶器製便器本体は支持壁部の鉛直壁部によって鉛直下方にかかる荷重を支えることができる。このため、この陶器製便器本体は、外周壁部を良好に支持することができ、製造工程において、良好に収縮することができる。
【００１６】
次に、本発明の陶器製便器本体を具体化した実施例について、図面を参照しつつ説明する。
【００１７】
＜実施例＞
実施例の陶器製便器本体は、陶器製であり、図１〜図３に示すように、便鉢部１０、便器排水管部２０、上面部３０、外周壁部４０を一体に形成している。便器排水管部２０は、第１下降流路２１と、上昇流路２２と、第２下降流路２３とを有している。つまり、便器排水管部２０は、第１下降流路２１と、上昇流路２２と、第２下降流路２３とを一体的に形成している。第１下降流路２１は、便鉢部１０の下部に連続し、後方に向けて斜め下方に傾斜している。上昇流路２２は、第１下降流路２１の下流端部に連続し、後方に向けて斜め上方に傾斜している。第１下降流路２１と上昇流路２２との境界部は、緩やかに湾曲しており、連続的に変化する流路で形成されている。第２下降流路２３は、上昇流路２２の下流端部に連続し、略鉛直方向に延びている。上昇流路２２と第２下降流路２３との境界部は、急激に湾曲しており、連続的に変化する流路で形成されている。第２下降流路２３の下流端は鉛直下方に開口している。
【００１８】
上面部３０は便鉢部１０の上端縁から横方向に拡がっている。上面部３０は、便鉢部１０の上方に位置する部分が上下方向に開口した開口部３１を有している。この開口部３１は、便鉢部１０の上端周縁に沿っており、縦長の略楕円形状である。また、上面部３０は、外縁部が前端部Ｆ（図１における上端部）から左右方向に湾曲して広がっている。また、上面部３０は、左右の外縁部Ｌ、Ｒが前後方向の略中央部から後方に向けて略平行に延びている。さらに、上面部３０は、後端部Ｂの左右及び中央が左右の外縁部に対して直角方向に延びており、左右対称位置に円弧状に後方に向けて突出した突出部３２を有している。
【００１９】
外周壁部４０は、図１〜図５に示すように、前壁部４１、左右壁部４２Ｌ、４２Ｒ、及び後壁部４３を有している。外周壁部４０は便鉢部１０及び便器排水管部２０を包囲している。前壁部４１と左右壁部４２Ｌ、４２Ｒは上面部３０の前端部Ｆから左右側の外縁部Ｌ、Ｒにかけて連続して下方に延びている。左右壁部４２Ｌ、４２Ｒは後部が上面部３０の左右後端の夫々から後方に向けて延びている。左右壁部４２Ｌ、４２Ｒと後壁部４３とによって形成した左右後端の角部４０Ｌ、４０Ｒは、平面視で湾曲している。後壁部４３の中央部は平面視で上面部３０の後端に対向して直線状に延びて左右後端の角部４０Ｌ、４０Ｒを連結している。前壁部４１は、図２及び図３に示すように、上側から下側に向けて徐々に内側に湾曲している。左右壁部４２Ｌ、４２Ｒは、図４及び図５に示すように、上方から下方に向けて僅かに内側に傾斜している。陶器製便器本体は、設置時に外周壁部４０の下端面を床面上に載置する。
【００２０】
陶器製便器本体は、図１〜図５に示すように、上面部３０の後方に上方に開口した上側空間部Ｓ１を有している。上側空間部Ｓ１は、左右壁部４２Ｌ、４２Ｒ、後壁部４３、及び上面部３０の後部から略鉛直方向に垂下した第１内壁部５１（図３参照）によって囲まれており、後述する支持壁部６０より上方に形成されている。陶器製便器本体は、図２及び図３に示すように、前壁部４１の内側に前壁部４１の下端部に連結して、上方に立ち上がり、便鉢部１０の下面に連続した第２内壁部５２を有している。陶器製便器本体は、第２内壁部５２、左右壁部４２Ｌ、４２Ｒ、及び後壁部４３によって囲まれ、後述する支持壁部６０より下方に下側空間部Ｓ２を有している。下側空間部Ｓ２は下方に開口している。
【００２１】
陶器製便器本体は支持壁部６０を備えている。支持壁部６０は、図２〜図４に示すように、上昇流路２２から第２下降流路２３への溢れ位置Ｔと略等しい高さに位置する便器排水管部２０の外周面に連続している。支持壁部６０と便器排水管部２０との連結部Ｊは便器排水管部２０の後端から左右方向に略水平に延びている。この連結部Ｊは、便器排水管部２０の上昇流路２２を形成している部分の後部まで延びており、その前方は一端下降して、第１内壁部５１の下端部に連結している。
【００２２】
支持壁部６０は便器排水管部２０との連結部Ｊから左右及び後方に延びている。連結部Ｊの周囲の支持壁部６０は横方向に拡がった一重構造の第１壁部６１で形成されている。このため、便器排水管部２０と第１壁部６１との連結を鋳込み成形によって良好に行うことができる。第１壁部６１は外側に向けて僅かな下り勾配で形成されている。便器排水管部２０の後部から後方に延びた第１壁部６１は、図１及び図２に示すように、便器排水管部２０の横幅より狭い範囲でそのまま外周壁部４０の後壁部４３の内面であって、高さ方向の中間位置に連続している。この部分を除いて、支持壁部６０は、図１、図３〜図５に示すように、第１壁部６１の外縁部に横方向に拡がった第２壁部６２を形成している。
【００２３】
第２壁部６２は、図３〜図５に示すように、上壁部６３と下壁部６４とを上下に有する二重構造である。第２壁部６２は上面が第１壁部６１の上面と面一に連続して形成され、略水平方向に延びた第１水平壁部６６Ａを構成している。第１壁部６１の後側の外縁部から後方に拡がった上壁部６３は、図３に示すように、後側の外縁部を外周壁部４０の後壁部４３の内面であって、高さ方向の中間位置に連続している。また、便器排水管部２０の左右両側に位置する上壁部６３は前側の外縁部を第１内壁部５１の下端に連続している。また、第１壁部６１の左右の外縁部の夫々から左右方向に拡がった上壁部６３は、図４及び図５に示すように、左右両側の外縁部を外周壁部４０の左右壁部４２Ｌ、４２Ｒの内面であって、高さ方向の中間位置に連続している。
【００２４】
第１壁部６１の後側の外縁部から後方に拡がった下壁部６４は、図３に示すように、後方に向けて斜め下方に傾斜し、後側の外縁部を外周壁部４０の後壁部４３の内面であって、上壁部６３が連続している部分より下方の中間位置に連続している。また、便器排水管部２０の左右両側に位置し、第１壁部６１の前側の外縁部から前方に拡がった下壁部６４は、前方に向けて斜め下方に傾斜し、前側の外縁部を第２内壁部５２に連続している。
【００２５】
また、第１壁部６１の左右側の外縁部から左右方向に拡がった下壁部６４は、図４及び図５に示すように、略鉛直方向に延びた第１鉛直壁部６５Ａを有している。また、この下壁部６４は、図５に示すように、第１鉛直壁部６５Ａの下端部から外側に屈曲して略水平方向に延びた第２水平壁部６６Ｂを有している。さらに、この下壁部６４は第２水平壁部６６Ｂの外側端部から略鉛直方向に延び、外周壁部４０の左右壁部４２Ｌ、４２Ｒの下端部に連続した第２鉛直壁部６５Ｂを有している。この陶器製便器本体は、第１鉛直壁部６５Ａ及び第２鉛直壁部６５Ｂによって、鉛直下方にかかる荷重を支えることができる。このため、この陶器製便器本体は、便器排水管部２０を良好に支持することができ、製造工程において、良好に収縮することができる。
【００２６】
また、この陶器製便器本体は、第１水平壁部６６Ａを構成する上壁部６３の外縁部から上方に屈曲する第１角部Ｃ１の方が、下壁部６４の第２水平壁部６６Ｂの外縁部から下方に屈曲する第２角部Ｃ２よりも外側に形成されている。このため、支持壁部６０より上方に形成した上側空間部Ｓ１の平面積を広くしつつ、支持壁部６０の強度を確保することができる。このため、上側空間部Ｓ１は容積を大きくすることができ、便器洗浄装置等を良好に収納することができる。
【００２７】
第１壁部６１及び第２壁部６２によって形成された支持壁部６０は、図１〜図５に示すように、外周壁部４０の左右壁部４２Ｌ、４２Ｒの内面及び後壁部４３の内面を連結している。つまり、支持壁部６０は、陶器製便器本体の平面視で少なくとも二方向に位置する外周壁部４０の内面同士を連結している。また、支持壁部６０は、図５に示すように、中央部で横方向に拡がった一重構造の第１壁部６１と、第１壁部６１の外縁部に連続して横方向に拡がっており、上下に位置する上壁部６３と下壁部６４とを有した二重構造であり、外縁部が外周壁部４０に連続した第２壁部６２とを有することになる。
【００２８】
このため、この陶器製便器本体は、外周壁部４０の全体を二重構造にしなくても支持壁部６０が外周壁部４０を支持することができる。よって、この陶器製便器本体は、製造工程において、良好に収縮することができる。また、この陶器製便器本体は外周壁部４０を一重構造にすることができる。このため、この陶器製便器本体は外周壁部４０の内側の空間（上側空間部Ｓ１）を広くすることができる。
【００２９】
したがって、実施例の陶器製便器本体は、生産性が良く、内部に広い空間を形成することができる陶器製便器本体を提供することができる。
【００３０】
支持壁部６０は、図１、図３及び図４に示すように、第１壁部６１と第２壁部６２との境界部に上下方向に貫通した貫通孔７０を有している。貫通孔７０は便器排水管部２０を挟んで左右対称位置に２個、設けられている。貫通孔７０は、図４に示すように、内周面の一部が第２壁部６２を構成する下壁部６４の第１鉛直壁部６５Ａの側面によって形成されている。このため、この陶器製便器本体は、支持壁部６０に貫通孔７０を形成しても、支持壁部６０の強度が低下せず、便器排水管部２０を支持することができる。また、この陶器製便器本体は、外周壁部４０に囲まれており、支持壁部６０の上下に設けた夫々の上側空間部Ｓ１、下側空間部Ｓ２内に便器洗浄装置等を収納することができ、上側空間部Ｓ１、下側空間部Ｓ２に収納した部品を貫通孔７０を通じて連結することができる。このため、この陶器製便器本体は上側空間部Ｓ１、下側空間部Ｓ２を有効に利用することができる。
【００３１】
このような構成を有する陶器製便器本体は、支持壁部６０が便器排水管部２０を支持することができる。このため、この陶器製便器本体は、製造工程において、支持壁部６０が便器排水管部２０を支持し、良好に収縮することができる。また、この陶器製便器本体は上昇流路２２と第２下降流路２３とを便器排水管部２０が一体的に形成している。このため、この陶器製便器本体は上昇流路２２から第２下降流路２３にかけて連続的に変化する流路を形成することができ、便器排水管部２０内の流路抵抗を少なくすることができる。また、この陶器製便器本体は第２下降流路２３を便器排水管部２０とは別部材で形成しない。このため、この陶器製便器本体は、第２下降流路２３を形成する部材を便器排水管部２０に接続する手間を要せず、部品点数が増加しない。
【００３２】
したがって、実施例の陶器製便器本体は、生産性が良く、便器洗浄を実行した際に汚物等を良好に排出することができる。
【００３３】
また、この陶器製便器本体は、支持壁部６０の全体を二重構造で形成するものに比べ、一重構造の第１壁部６１を設けることによって、便鉢部１０の後方であって、支持壁部６０の上下に設けられた上下の空間部（上側空間部Ｓ１、下側空間部Ｓ２）を広くすることができる。このため、この陶器製便器本体は上下の空間部（上側空間部Ｓ１、下側空間部Ｓ２）内に便器洗浄装置等を良好に収納することができる。さらに、この陶器製便器本体は、第１壁部６１の外縁部に連続して上壁部６３と下壁部６４とからなる二重構造の第２壁部６２が外周壁部４０の内面に連続しているため、支持壁部６０の強度を増加することができる。このため、この陶器製便器本体は、便鉢部１０の後方に設けた上下の空間部を広くしても、便器排水管部２０を強固に支持することができる。よって、この陶器製便器本体は、製造工程において、良好に収縮することができる。
【００３４】
本発明は上記記述及び図面によって説明した実施例に限定されるものではなく、例えば次のような実施例も本発明の技術的範囲に含まれる。
（１）実施例では、支持壁を一重構造の第１壁と二重構造の第２壁とから形成したが、支持壁全体を一重構造で形成してもよい。
（２）実施例では、支持壁に貫通孔を形成したが、支持壁に貫通孔を形成しなくてもよい。
（３）実施例では、下壁部が鉛直壁部を有したが、上壁部が鉛直壁部を有してもよい。また、下壁部及び上壁部に鉛直壁部を設けなくてもよい。
（４）実施例では、第１壁部の上面と第２壁部の上壁部の上面とを面一に連続して形成したが、第１壁部の上面と第２壁部の上壁部の上面とを面一にしなくてもよい。
（５）実施例では、第１角部を第２角部より外側に形成したが、第２角部を第１角部より外側に形成してもよい。
【符号の説明】
【００３５】
１０…便鉢部
３０…上面部
４０…外周壁部
６０…支持壁部
６１…第１壁部
６２…第２壁部
６３…上壁部
６４…下壁部
７０…貫通孔
６５Ａ、６５Ｂ…鉛直壁部（６５Ａ…第１鉛直壁部、６５Ｂ…第２鉛直壁部）
６６Ａ、６６Ｂ…水平壁部（６６Ａ…第１水平壁部、６６Ｂ…第２水平壁部）
Ｃ１…第１角部
Ｃ２…第２角部
【図１】
2014114633.tif 000003
【図２】
2014114633.tif 000004
【図３】
2014114633.tif 000005
【図４】
2014114633.tif 000006
【図５】
2014114633.tif 000007